(57)【要約】【課題】  外径が大きくならないようにし、携帯が容易で、握りやすい形状の巻き尺を提供する。【解決手段】  ケース（２１）と、ケース内に軸支され、帯尺が巻回されるテープドラム（２２）と、テープドラムと同軸に軸支され、テープドラムの回転が伝達される第一歯車（２５）と、第一歯車と歯合される第二歯車（２６）と、第二歯車の回転軸（２６ａ）を延長した軸線上で第二歯車と一体に回転するように形成され、付勢部材（２８）の一端が固定される付勢部材回転軸（２６ｂ）と、片側が開口した中空円筒形状を有し、開口側が第二歯車に対向するようにしてケースに固定されるとともに付勢部材回転軸が中空部分の内側に配置され、さらに中空部分の内周面（２３ｄ）に付勢部材の他端が固定される中空ドラム（２３）とを備え、帯尺を引き出すときのテープドラムの回転が第一歯車、第二歯車、付勢部材回転軸を介して付勢部材に伝達されて復元力を発生させる。【選択図】図１
2007327911.tif 000002
【特許請求の範囲】
【請求項１】
テープ状の帯尺を出し入れする開口が形成されたケースと、
ケース内に軸支され、帯尺が巻回されるテープドラムと、
テープドラムと同軸に軸支され、テープドラムの回転が伝達される第一歯車と、
第一歯車と歯合される第二歯車と、
第二歯車の回転軸を延長した軸線上で第二歯車と一体に回転するように形成され、付勢部材の一端が固定される付勢部材回転軸と、
片側が開口した中空円筒形状を有し、開口側が第二歯車に対向するようにしてケースに固定されるとともに付勢部材回転軸が中空部分の内側に配置され、さらに中空部分の内周面に付勢部材の他端が固定される中空ドラムとを備え、
帯尺を引き出すときのテープドラムの回転が第一歯車、第二歯車、付勢部材回転軸を介して付勢部材に伝達されて復元力を発生させるようにしたことを特徴とする巻き尺。
【請求項２】
ケースに軸支され第一歯車または第二歯車の歯に係合可能に取り付けられる係合爪と、係合爪を歯に対し着脱する操作機構とを備え、操作機構により係合爪を歯と係合させることによりテープドラムの回転を停止させることを特徴とする請求項１に記載の巻き尺。
【請求項３】
ケース外形は、テープドラムと中空ドラムとが並ぶ方向を長手方向とする略直方体状であることを特徴とする請求項１に記載の巻き尺。
【発明の詳細な説明】
【技術分野】
【０００１】
本発明は、テープ状の帯尺をケース内のドラム(リール)に巻回した巻き尺に関し、さらに詳細には、帯尺を巻き戻す際の復元力を発生する付勢部材を内蔵することにより、帯尺の引き出し力を解消すると帯尺がケース内に自動的に巻き戻されるようにした巻き尺に関する。
【背景技術】
【０００２】
巻き戻し用のスプリングをドラム（リール）に内蔵し、帯尺の引き出し力を解消すると帯尺がケース内に自動的に巻き戻しするようにした巻き尺が、知られている（特許文献１参照）。例えば、図１０の正面断面図、図１１の側面図に示すように、左右の半割体１ａ、１ｂからなるケース１内にテープ状の帯尺２を巻回したリール１０が収納され、帯尺２の先端が開口３から露出するようにしてある。リール１０には、自動巻き戻し用の復帰スプリングが内側に取り付けられ（不図示）、帯尺２を引き出すことによりリール１０が回転すると、元の状態に復元する付勢力が発生するようにしてある。
また、ケース１の外側に配置されたスライドボタン４を操作することで圧着爪５を帯尺に押圧させることにより、引き戻しされないようにするストッパ１１が設けられている。
【特許文献１】特許第２８６０３６６号公報
【発明の開示】
【発明が解決しようとする課題】
【０００３】
上述したような従来の巻き尺は、ひとつのドラム（リール）にスプリング（渦巻きばね）と帯尺とを続けて巻回するようにしてある。そのため、帯尺が巻かれた状態でのドラム外径は大きくなりがちである。特に、帯尺長さが長いほど、径が大きくなるので、掌でつかむことが容易な大きさにするのが困難になる。
そこで、本発明は、帯尺と渦巻きばねの取り付け構造を工夫して外径が大きくならないようにし、携帯が容易で、握りやすい形状の巻き尺を提供することを目的とする。
【０００４】
また、上述したような従来の巻き尺は、圧着爪を帯尺に押し当てたときの摩擦により帯尺が停止するストッパ機構を用いているため、ある程度強く帯尺を押圧する必要があり、スライドボタンを操作する際に、指にかなりの力を加える必要があった。
そこで、本発明は、停止の際に、軽い力で帯尺を停止することができる巻き尺を提供することを目的とする。
【０００５】
また、従来の巻き尺の内部の機構は、ひとつのドラム（リール）にスプリング（渦巻きばね）と帯尺とを続けて巻回するという簡単な構造であるため、これを囲うケースは、中央の支軸を中心とした方形のケース、あるいは円形のケース、あるいは方形部分と円形部分とを組み合わせた形状のケースに限られていた。
そこで、本発明は、従来なかった斬新な外形形状の巻き尺を提供することを特徴とする。
【課題を解決するための手段】
【０００６】
上記目的を達成するためになされた第一の発明の巻き尺（２０）は、テープ状の帯尺（２７）を出し入れする開口（２１ｄ）が形成されたケース（２１）と、ケース内に軸支され、帯尺が巻回されるテープドラム（２２）と、テープドラムと同軸に軸支され、テープドラムの回転が伝達される第一歯車（２５）と、第一歯車と歯合される第二歯車（２６）と、第二歯車の回転軸（２６ａ）を延長した軸線上で第二歯車と一体に回転するように形成され、付勢部材（２８）の一端が固定される付勢部材回転軸（２６ｂ）と、片側が開口した中空円筒形状を有し、開口側が第二歯車に対向するようにしてケースに固定されるとともに付勢部材回転軸が中空部分の内側に配置され、さらに中空部分の内周面（２３ｄ）に付勢部材の他端が固定される中空ドラム（２３）とを備え、帯尺を引き出すときのテープドラムの回転が第一歯車、第二歯車、付勢部材回転軸を介して付勢部材に伝達されて復元力を発生させるようにしている。
【０００７】
また、第二の発明は、上記発明において、ケースに軸支され第一歯車または第二歯車の歯に係合可能に取り付けられる係合爪（２４ａ）と、係合爪を歯に対し着脱する操作機構（２４）とを備え、操作機構により係合爪を歯との係合させることによりテープドラムの回転を停止させるようにしてもよい。
【０００８】
また、第三の発明は、上記発明において、ケース外形は、テープドラムと中空ドラムとが並ぶ方向を長手方向とする略直方体状であるようにしている。
【発明の効果】
【０００９】
第一の発明によれば、帯尺が巻回されるテープドラムと、復元力を与える付勢部材が取り付けられる付勢部材回転軸および中空ドラムとが分離され、テープドラムと一体に回転する第一歯車と、付勢部材回転軸と一体に回転する第二歯車とが歯合される。第一歯車と第二歯車とが歯号されることにより、帯尺を引き出すときのテープドラムの回転が第一歯車、第二歯車を介して付勢部材回転軸に伝達されて回転する。付勢部材回転軸の回転により、付勢部材は復元力を発生させる。したがって、その後、帯尺の引き出す力が解除されると、付勢部材に蓄えられた復元力により、帯尺が巻き戻される。
本発明によれば、テープドラムには帯尺だけを巻回すればよいので、帯尺が巻回された状態でのテープドラムの外径を小さく抑えることができる。また、テープドラムの外径を大きくすることなく、長い帯尺を使用することができる。
【００１０】
第二の発明によれば、帯尺を圧着することなく、係合爪を歯車の歯に係合させるだけでよいので、軽い操作で停止させることができる。
【００１１】
第三の発明によれば、ケース外形は、テープドラムと中空ドラムとが並ぶ方向を長手方向とする略直方体状としているので、例えば、名刺ケースと同様の形状にすることができ、これまでにない斬新な形状の巻き尺にすることができる。また、長手方向を有するので、掌で握りやすくすることができる。
【発明を実施するための最良の形態】
【００１２】
以下、本発明の第１実施形態について、図面を用いて説明する。なお、本発明は、以下に説明する実施形態に限定されるものではなく、本発明の趣旨を逸脱しない範囲で種々の態様が含まれることは言うまでもない。
図１は本発明の第１実施形態である巻き尺の正面断面図、図２は平面断面図、図３は左側面図、図４は右側面図、図５は斜視図である。
【００１３】
巻き尺２０は、主としてケース２１、テープドラム２２、中空ドラム２３、ストッパ２４、第一歯車２５、第二歯車２６、帯尺２７、渦巻きばね２８とにより構成される。
ケース２１は、外形が略直方体形状であり、左右の半割体２１a、２１ｂで形成され、支持板２１ｃを介してねじにより締結してある。したがって、ねじを取り外すことにより分解できる。
また、ケース２１の四隅のうち一つには、開口２１ｄが形成されている。この開口２１ｄは後述する帯尺２７の出入口として用いられる。さらにケース２１の一面（図５の上面）に開口２１ｅが形成されている。この開口２１ｅは、ストッパ２４の一部（操作部２４ｃ）を露出するために用いられる。
【００１４】
ケース２１の一対の対向する側面には孔２１ｆ、孔２１ｇ、孔２１ｈが形成される。孔２１ｆにはテープドラム２２を軸支するために用いられ、孔２１ｇは、中空ドラムをケースに固定するために用いられ、孔２１ｈはストッパ２４を軸支するために用いられる。
【００１５】
テープドラム２２は、円柱状の外周面２２ａを有し、外周面２２ａの一部が切り出されて平面部２２ｂが形成され、ここに帯尺２７の終端２７ｂを固定して巻回するようにしてある。  また、テープドラム２２の一方の側面には、第一歯車２５がテープドラム２２と一体に回転するように軸支される。
【００１６】
第一歯車２５の隣には第二歯車２６が歯合するように取り付けられる。第二歯車２６は、ベアリング２６ａにより、ケース２１に対して回転可能に軸支される。
第二歯車２６の軸線延長上に沿って、付勢部材回転軸２６ｂが設けてあり、付勢部材回転軸２６ｂは、第二歯車２６と一体になって回転するようにしてある。また、付勢部材回転軸２６ｂには溝２６ｃが形成してあり、この溝に渦巻きばね２８の一端を固定するようにしてある。
【００１７】
第二歯車２６に対向する位置には、中空ドラム２３が配置される。中空ドラム２３は、片側を開口にした中空円筒形状であり、中空部分の中心に沿って付勢部材回転軸２６ｂが配置されるようにしてある。そして、中空ドラム２３は、ベアリング２３ａとともにケース２１に固定され、付勢部材２６ｂの先端がベアリング２３ａにより、回転可能な状態で支持するようにしてある。中空ドラム２３の開口側は第二歯車２６に接近するようにしてある。さらに、渦巻きばね２８の他の一端は、中空ドラム２３の円筒壁面の一部に設けた溝２３ｂに固定してある。
したがって、中空ドラム２３に対して付勢部材回転軸２６ｂが回転すると、付勢部材回転軸２６ｂの周囲に渦巻きばね２８が巻き直されて復元力が発生するようにしてある。
【００１８】
なお、テープドラム２２と中空ドラム２３とは、テープドラム２２に帯尺２７が巻回された最大径の状態のときに、互いに接触しないだけの距離を隔てて配置されるように、孔２１ｆ、孔２１ｇの位置が定められている。また、ケース２１は、テープドラム２２に帯尺２７が巻回された最大径の状態のときに、帯尺２７がケース内面と接触しないで収納できる寸法であって、しかもできるだけコンパクトになるようにしてある。
【００１９】
ストッパ２４は、爪部２４ａを有する金属片からなり、２つの歯車２５、２６の間にある空間部分に形成された孔２１ｈに、支軸２４ｂが支持されるようにしてある。ストッパ２４の一部は、開口２１ｄからケース２１の外側に露出するようにして、操作部２４ｃとしてある。この操作部２４ｃを指で動かして爪部２４ａを第二歯車２４ａに係合させると第二歯車２６の回転運動が停止し、その結果、テープドラム２２も停止できるようにしてある。
【００２０】
第一歯車２５と、第二歯車２６とのギア比は、渦巻きばね２８のばね定数との兼ね合いで適当な値に設定することで、適度な復元力が生じるようにしてある。
帯尺２７は、金属製のテープで形成され、先端部分はＬ字金具２７ａが取り付けられるとともに開口２１ｄからケース２１の外側に引き出されている。
【００２１】
次に、巻き尺２０による測定動作について説明する。巻き尺２０を使用する際に、例えば、中指で操作部２４ｃを動かすことができるようにして、ケース２１を握る。測定対象部分の片端にＬ字金具２７ａを引っ掛けた状態で、帯尺２７を引き出していく。帯尺２７が引き出されるにつれて、テープドラム２２が回転するが、これに伴って、回転運動が第一歯車２５、第二歯車２６を介して付勢部材回転軸２６ｂに伝達され、付勢部材回転軸２６ｂが回転することによって、渦巻きばね２８に復元力が蓄積されていく。
【００２２】
帯尺２７が、測定対象部分の他端に達すると、これ以上は帯尺を引き出す必要がないので、中指で操作部２４ｃを操作して、爪部２４ａを第二歯車２６に係合させ、第二歯車２６の回転を停止させる。これにより、テープドラム２２の回転も停止されるので、この状態で帯尺２７により長さの計測を行う。
長さ計測を終えると、再び中指で操作部２４ｃを操作し、歯車２６への爪部２４ａの係合を解除する。これにより、渦巻きばね２８に蓄積されている復元力によって、付勢部材回転軸２６ｂが復元方向に回転する。付勢部材回転軸２６ｂの回転は、第二歯車２６、第一歯車２５を介してテープドラム２２に伝達されるので、テープドラム２２は帯尺２７を巻き終えるまで回転する。これにより、帯尺２７はケース２１内に収納される。
【００２３】
本実施形態では、付勢部材２８として渦巻きばねを用いたが、回転により復元力を発生できるものであれば、他の付勢部材であってもよい。
また、本実施形態ではストッパ２４は第二歯車２６に係合させたが、第一歯車２５に係合するようにしてもよい。
【００２４】
以下本発明の第２実施形態について説明する。該第２実施形態の巻き尺は、前記第１実施形態に示した巻き尺２０に比し、主としてケース２１を合成樹脂成形品で形成してある点で異なる。
【００２５】
該ケース２０は、横長長方形の皿形状半割体２１ａと２１ｂとからなり、これを最中状に重ね合わせて、その内部空間内に前記第１実施態様で記載の各内装部品と同様の部品を内装させたものである。
【００２６】
而して、これらの半割体のうち一方の半割体２１ａには、図６に示したようにその上下の空洞部に肉厚部を形成して連結用ビス穴２１ｉを形成してあるものとし、他方の半割体２１ｂには図９に示したように、前記連結用ビス穴２１ｉと対向する箇所に連結ビス用貫通穴２１ｊを形成し、連結用ビス２１ｋによって連結するようにしたものである。ここにいう連結用ビス穴２１ｉの形成箇所は、図示のものに限定されるものではなく、箇数も２ケに限定されるものではない。
【産業上の利用可能性】
【００２７】
本発明は、巻き尺に利用することができる。
【図面の簡単な説明】
【００２８】
【図１】本発明の第１実施形態である巻き尺の正面断面図。
【図２】図１の巻き尺の平面断面図。
【図３】図１の巻き尺の左側面図。
【図４】図１の巻き尺の右側面図。
【図５】図１の巻き尺の斜視図。
【図６】第２実施形態の巻き尺の正面断面図。
【図７】図６の巻き尺の平面断面図。
【図８】図６の巻き尺の左側面図。
【図９】図６の巻き尺の斜視図。
【図１０】従来の巻き尺の正面断面図。
【図１１】図１０の巻き尺の側面図。
【符号の説明】
【００２９】
２０    巻き尺
２１    ケース
２２    テープドラム
２３    中空ドラム
２４    ストッパ（操作機構）
２４ａ  係合爪
２５    第一歯車
２６    第二歯車
２６ｂ  付勢部材回転軸
２７    帯尺
２８    渦巻きばね（付勢部材）
【図１】
2007327911.tif 000003
【図２】
2007327911.tif 000004
【図３】
2007327911.tif 000005
【図４】
2007327911.tif 000006
【図５】
2007327911.tif 000007
【図６】
2007327911.tif 000008
【図７】
2007327911.tif 000009
【図８】
2007327911.tif 000010
【図９】
2007327911.tif 000011
【図１０】
2007327911.tif 000012
【図１１】
2007327911.tif 000013